(57)【特許請求の範囲】
【請求項１】
汎用伝送線又は入出力信号線を介して接続される汎用機器と、専用伝送線を介して接続される空調設備とを制御する汎用機器コントローラーを備えた空気調和システムであって、
前記汎用機器コントローラーは、
前記空調設備に対応する第１信号と、前記汎用機器に対応する第２信号とを受信し、前記第１信号及び前記第２信号に基づいて前記空調設備及び前記汎用機器を制御する制御信号を送信する処理構成部と、
前記空調設備と、前記処理構成部との間で送受信される各種信号を中継するインターフェース構成部と、を備え、
前記処理構成部は、
前記第１信号に含まれる前記空調設備を指定する管理アドレスで第１制御対象である前記空調設備を指定し、
前記第２信号に含まれる前記汎用機器を指定する入出力ポート番号で第２制御対象である前記汎用機器を指定し、
前記第１制御対象と前記第２制御対象とを連動制御する前記制御信号を送信するものであり、
前記インターフェース構成部は、
前記第１信号を収集するタイミングとして第１所定周期が設定され、
収集した前記第１信号を前記処理構成部に供給するタイミングとして前記第１所定周期よりも長い間隔で第２所定周期が設定され、
前記第１所定周期毎に、前記空調設備に前記第１信号を要求して返信があった場合、前記専用伝送線を流れる前記第１信号のうち、前記管理アドレスに基づいて収集すると判定した前記第１信号を収集し、
前記第２所定周期毎に、収集した前記第１信号を前記処理構成部に供給する
ことを特徴とする空気調和システム。
【請求項２】
前記汎用機器コントローラーは、
前記汎用機器と前記処理構成部との間で送受信される各種信号を中継する入出力ポートをさらに備え、
前記処理構成部は、
前記第１所定周期が前記第２信号を収集するタイミングとして設定され、
前記第１所定周期毎に、前記入出力ポートに前記第２信号を要求して返信があった場合、該第２信号に含まれる前記入出力ポート番号を収集する
ことを特徴とする請求項１に記載の空気調和システム。
【請求項３】
前記入出力ポートは、
前記汎用機器の検知結果を前記処理構成部に供給し、
前記処理構成部は、
前記検知結果に基づいて生成した前記制御信号を前記入出力ポートを介して前記汎用機器に送信する
ことを特徴とする請求項２に記載の空気調和システム。
【請求項４】
前記処理構成部は、
前記管理アドレス及び前記入出力ポート番号に基づいて、前記空調設備と、前記汎用機器とを組み合わせた制御を実行する
ことを特徴とする請求項３に記載の空気調和システム。
【請求項５】
前記処理構成部は、
前記制御信号に含まれる前記管理アドレスのうち、前記インターフェース構成部から供給されなかった管理アドレスに対応する前記空調設備については、該空調設備を制御対象から外し、
前記制御信号に含まれる前記入出力ポート番号のうち、前記入出力ポートから供給されなかった入出力ポート番号に対応する前記汎用機器については、該汎用機器を制御対象から外す
ことを特徴とする請求項４に記載の空気調和システム。
【請求項６】
前記処理構成部は、
前記空調設備及び前記汎用機器を連動制御するプログラムを実行する制御部モジュールを備え、
前記プログラムは、前記空調設備または前記汎用機器によって編集可能であり、
前記制御部モジュールは、
前記第１信号及び前記第２信号に基づいて、予め設定された各種処理を実行するものであり、
前記制御部モジュールは、更新可能なプログラムモジュールで形成された
ことを特徴とする請求項１〜５の何れか一項に記載の空気調和システム。
【請求項７】
前記プログラムは、ＰＬＣプログラムであり、
前記各種処理は、前記ＰＬＣプログラムに基づいて制御ロジックが作成され、
前記制御部モジュールは、前記制御ロジックの物理的な実行環境を設定し、該制御ロジックを実行するものであって、
前記ＰＬＣプログラムは、前記空調設備のうちの１つである空調制御リモートコントローラー及び前記汎用機器のうちの１つであるクライアント端末の何れかで編集される
ことを特徴とする請求項６に記載の空気調和システム。
【請求項８】
前記空調制御リモートコントローラー及び前記クライアント端末の何れかで、
前記管理アドレスに対応した前記空調設備が設定され、前記入出力ポート番号に対応した前記汎用機器が設定された前記ＰＬＣプログラムが編集される
ことを特徴とする請求項７に記載の空気調和システム。
【請求項９】
前記専用伝送線に接続され、前記空調設備と、前記汎用機器コントローラーとを管理し、該汎用機器コントローラーを介して前記汎用機器を管理する集中コントローラーをさらに備えた
ことを特徴とする請求項１〜８の何れか一項に記載の空気調和システム。
【請求項１０】
前記集中コントローラーは、
前記第１信号及び前記第２信号に基づいて、前記空調設備、前記汎用機器、及び前記汎用機器コントローラーを管理する
ことを特徴とする請求項９に記載の空気調和システム。
【発明の詳細な説明】
【技術分野】
【０００１】
本発明は、空気調和システムに関する。
【背景技術】
【０００２】
従来の空気調和システムのうち、複数の空調機を備え、通信プロトコルの異なる空調機同士の通信を中継する中継装置を備えているものがあった（例えば、特許文献１参照）。【０００３】
また、従来の空気調和システムのうち、複数の空調機に対し、空調機毎に空調機の制御プログラムが更新されるものがあった（例えば、特許文献２参照）。
【先行技術文献】
【特許文献】
【０００４】
【特許文献１】特開２００７−３２７６５５号公報（段落［００５６］）
【特許文献２】特開２０１１−５２９３０号公報（段落［００６５］）
【発明の概要】
【発明が解決しようとする課題】
【０００５】
従来の空気調和システム（特許文献１）においては、中継装置は、空調機同士の通信を仲介しているだけであり、空調機と、空調機以外の機器との通信を仲介していなかった。例えば、中継装置は、空調機を備えた空調設備と、加湿器等の汎用機器との通信を中継していなかった。【０００６】
また、従来の空気調和システム（特許文献２）においては、エリア内の状況に応じて、空調機の制御プログラムの更新作業が可能なだけであり、各空調機と、各汎用機器とが
連動制御される制御プログラムの更新が行われるものではなかった。【０００７】
したがって、従来の空気調和システム（特許文献１及び２）は、空調設備と、汎用機器とを連動制御することができないという問題点があった。【０００８】
本発明は、上記のような問題点を解決するためになされたもので、空調設備と、汎用機器とを連動制御することができる空気調和システムを提供することを目的とするものである。
【課題を解決するための手段】
【０００９】
本発明に係る空気調和システムは、汎用伝送線又は入出力信号線を介して接続される汎用機器と、専用伝送線を介して接続される空調設備とを制御する汎用機器コントローラーを備えた空気調和システムであって、前記汎用機器コントローラーは、前記空調設備に対応する第１信号と、前記汎用機器に対応する第２信号とを受信し、前記第１信号及び前記第２信号に基づいて前記空調設備及び前記汎用機器を制御する制御信号を送信する処理構成部と、前記空調設備と、前記処理構成部との間で送受信される各種信号を中継するインターフェース構成部と、を備え、前記処理構成部は、前記第１信号に含まれる前記空調設備を指定する管理アドレスで第１制御対象である前記空調設備を指定し、前記第２信号に含まれる前記汎用機器を指定する入出力ポート番号で第２制御対象である前記汎用機器を指定し、前記第１制御対象と前記第２制御対象とを連動制御する前記制御信号を送信するものであり、前記インターフェース構成部は、前記第１信号を収集するタイミングとして第１所定周期が設定され、収集した前記第１信号を前記処理構成部に供給するタイミングとして前記第１所定周期よりも長い間隔で第２所定周期が設定され、前記第１所定周期毎に、前記空調設備に前記第１信号を要求して返信があった場合、前記専用伝送線を流れる前記第１信号のうち、前記管理アドレスに基づいて収集すると判定した前記第１信号を収集し、前記第２所定周期毎に、収集した前記第１信号を前記処理構成部に供給する。
【発明の効果】
【００１０】
本発明は、空調設備に設けられた空調機と、汎用機器とをそれぞれ指定した複合的な制御指令を各通信媒体を介して空調設備と汎用機器とに送るため、空調設備と、汎用機器とを連動制御することができる。よって、空調設備と、汎用機器とを含めて一体的な制御を行う空気調和システムを提供することができる。したがって、システム全体における省エネ性及び快適性を向上させることができるという効果を有する。
【図面の簡単な説明】
【００１１】
【図１】本発明の実施の形態１における空気調和システム１の概略構成の一例を示す図である。
【図２】本発明の実施の形態１における室外機５１の詳細構成の一例を示す図である。
【図３】本発明の実施の形態１における室内機５３の詳細構成の一例を示す図である。
【図４】本発明の実施の形態１における汎用機器コントローラー１１の機能的構成の一例を示す図である。
【図５】本発明の実施の形態１における記憶部９６８に割り当てられている各種データ及び処理構成部３０３の物理的構成の一例を示す図である。
【図６】本発明の実施の形態１におけるＰＬＣプログラムの更新時に使用されるデバイスの一例を示す図である。
【図７】本発明の実施の形態１におけるＰＬＣプログラムの編集画面６０１の一例を示す図である。
【図８】本発明の実施の形態１における汎用機器コントローラー１１のＰＬＣプログラム更新処理の一例を説明するフローチャートである。
【図９】本発明の実施の形態１における汎用機器コントローラー１１の連動制御処理の一例を説明するフローチャートである。
【図１０】本発明の実施の形態１における汎用機器コントローラー１１の第１データ収集処理の詳細例を説明するフローチャートである。
【図１１】本発明の実施の形態１における汎用機器コントローラー１１の管理データ取得処理の詳細例を説明するフローチャートである。
【図１２】本発明の実施の形態１における汎用機器コントローラー１１の第２所定周期対応処理の詳細例を説明するフローチャートである。
【図１３】本発明の実施の形態１における汎用機器コントローラー１１の第２データ収集処理の詳細例を説明するフローチャートである。
【図１４】本発明の実施の形態１における各種ＰＬＣプログラムの一例を示す図である。
【図１５】本発明の実施の形態１における各種ＰＬＣプログラムの一例を示す図である。
【図１６】本発明の実施の形態２における集中コントローラー９０１が空調設備２３−１及び空調設備２３−２を監視する空気調和システム２の概略構成を示す図である。
【図１７】本発明の実施の形態２における集中コントローラー９０１の機能的構成の一例を示す図である。
【発明を実施するための形態】
【００１２】
以下、本発明の実施の形態について、図面を用いて詳細に説明する。
【００１３】
実施の形態１．
図１は、本発明の実施の形態１における空気調和システム１の概略構成の一例を示す図である。本実施の形態１は、空調設備２３と、汎用機器２１とをそれぞれ指定した複合的な制御指令を各通信媒体を介して空調設備２３と汎用機器２１とに送ることで、空調設備２３と、汎用機器２１とが連動制御される。よって、空調設備２３と、汎用機器２１とを含めて一体的な制御を行う空気調和システム１が提供される。したがって、システム全体における省エネ性及び快適性は向上する。
【００１４】
図１に示すように、空気調和システム１は、汎用機器コントローラー１１と、汎用機器２１と、空調設備２３とを備える。汎用機器コントローラー１１と、汎用機器２１とは、汎用伝送線３０又は入出力信号線３１を介して接続されている。汎用機器コントローラー１１と、空調設備２３とは、専用伝送線３３を介して接続されている。
【００１５】
汎用伝送線３０は、一般的に外部に公開された通信プロトコルに準拠した通信が行われる通信媒体である。入出力信号線３１は、入出力信号線３１に接続されている各種機器のそれぞれに各種入出力処理を実行させるための入力信号及び出力信号を各種入出力処理の対象となっている各種装置間に伝達させる通信媒体である。専用伝送線３３は、外部に非公開である通信プロトコルに準拠した通信が行われる通信媒体である。
【００１６】
次に、汎用機器２１について説明する。汎用機器２１は、汎用伝送線３０又は入出力信号線３１に接続され、汎用機器コントローラー１１で制御される機器から構成される。例えば、汎用機器２１として、加湿器１０１が入出力信号線３１に接続されている。よって、汎用機器コントローラー１１と、加湿器１０１とは入出力信号線３１を介して接続されている。また、加湿器１０１は、空調対象空間に対して、機器内部に収容されている水分を放出することで加湿を行うものである。したがって、加湿器１０１は、汎用機器コントローラー１１と各種信号を送受信し、汎用機器コントローラー１１からの各種制御信号に基づいて制御されることで、空調対象空間を加湿する。
【００１７】
また、例えば、汎用機器２１として、ヒーター１０３が入出力信号線３１に接続されている。よって、汎用機器コントローラー１１と、ヒーター１０３とは入出力信号線３１を介して接続されている。また、ヒーター１０３は、空調対象空間に対して、熱を発生して熱を供給するものである。したがって、ヒーター１０３は、汎用機器コントローラー１１と各種信号を送受信し、汎用機器コントローラー１１からの各種制御信号に基づいて制御されることで、空調対象空間に熱が供給される。
【００１８】
また、例えば、汎用機器２１として、換気扇１０５が入出力信号線３１に接続されている。よって、汎用機器コントローラー１１と、換気扇１０５とは入出力信号線３１を介して接続されている。また、換気扇１０５は、図示しないファンを回転させることで、空調対象空間に空気を送り、空調対象空間の空気を入れ換えるものである。したがって、換気扇１０５は、汎用機器コントローラー１１と各種信号を送受信し、汎用機器コントローラー１１からの各種制御信号に基づいて制御されることで、空調対象空間の空気が入れ換えられれる。
【００１９】
また、例えば、汎用機器２１として、温度／湿度センサー１０７が入出力信号線３１に接続されている。よって、汎用機器コントローラー１１と、温度／湿度センサー１０７とは入出力信号線３１を介して接続されている。また、温度／湿度センサー１０７は、設置された場所の温度及び湿度を検知するものである。したがって、温度／湿度センサー１０７は、汎用機器コントローラー１１に検知結果を供給し、汎用機器コントローラー１１は供給された検知結果に基づいて各種処理を実行する。
【００２０】
また、例えば、汎用機器２１として、クライアント端末１０９が汎用伝送線３０に接続されている。よって、汎用機器コントローラー１１と、クライアント端末１０９とは汎用伝送線３０を介して接続されている。また、クライアント端末１０９は、詳細については図６を用いて後述するように、汎用機器コントローラー１１の各種設定を変更するものである。したがって、クライアント端末１０９が汎用機器コントローラー１１の各種設定を変更した場合、汎用機器コントローラー１１は変更された各種設定に基づいて各種処理を実行する。
【００２１】
以上、汎用機器２１の一例について説明したが、特にこれらに限定しない。要するに、本実施の形態１における汎用機器２１とは、通信プロトコルが一般に公開されている汎用伝送線３０、又は、入力信号及び出力信号が流れる入出力信号線３１に接続された各種機器のことである。なお、以降の説明において、汎用機器２１とは、汎用伝送線３０若しくは入出力信号線３１と接続関係にある機器、又は、汎用伝送線３０若しくは入出力信号線３１と接続関係にあった機器を示すこととする。よって、汎用機器２１とは、例えば、１又は複数の加湿器１０１、１又は複数のヒーター１０３、１又は複数の換気扇１０５、１又は複数の温度／湿度センサー１０７、及び１又は複数のクライアント端末１０９等の少なくとも１台を意味する。なお、汎用機器２１として、除湿器等が備えられてもよい。
【００２２】
次に、空調設備２３に関して説明する。空調設備２３は、専用伝送線３３に接続され、汎用機器コントローラー１１で制御される機器から構成される。例えば、空調設備２３として、１台の室外機５１が専用伝送線３３に接続されている。よって、汎用機器コントローラー１１と、１台の室外機５１とは専用伝送線３３を介して接続されている。また、例えば、空調設備２３として、３台の室内機５３が専用伝送線３３に接続されている。よって、汎用機器コントローラー１１と、複数台の室内機５３とは専用伝送線３３を介して接続されている。また、室外機５１と、室内機５３とは、専用伝送線３３を介して接続されている。よって、汎用機器コントローラー１１は、室外機５１及び室内機５３の両方と接続されている。
【００２３】
したがって、室外機５１及び室内機５３は、汎用機器コントローラー１１と各種信号を送受信し、汎用機器コントローラー１１からの各種制御信号に基づいて制御され、各種処理が実行される。また、室外機５１と、室内機５３とは、冷媒配管４１で接続されている。なお、室外機５１及び室内機５３の詳細については図２及び図３を用いて後述する。
【００２４】
また、空調設備２３として、例えば、空調制御リモートコントローラー７１のうちの２台が専用伝送線３３を介して室内機５３と接続されている。よって、汎用機器コントローラー１１と、空調制御リモートコントローラー７１とは、室内機５３を介して接続されている。したがって、このような空調制御リモートコントローラー７１は、室内機５３と、室外機５１と、汎用機器コントローラー１１とそれぞれ各種信号等を送受信する。
【００２５】
また、空調設備２３として、例えば、空調制御リモートコントローラー７１のうちの１台が室内機５３を介さずに直接に専用伝送線３３に接続されている。よって、このような空調制御リモートコントローラー７１は、専用伝送線３３に接続されている各種機器と各種信号等の送受信が可能な状態となっている。例えば、このような空調制御リモートコントローラー７１は、専用伝送線３３に接続されている汎用機器コントローラー１１と、専用伝送線３３に接続されている室外機５１と、専用伝送線３３に接続されている室内機５３とそれぞれ各種信号等を送受信する。
【００２６】
空調制御リモートコントローラー７１は、例えば、操作部７５を備える。空調制御リモートコントローラー７１は、図示しない操作者が操作部７５を操作することで、室外機５１、室内機５３、汎用機器２１等に対し、運転命令、停止命令、温度設定、及び湿度設定等が行われ、各種信号が専用伝送線３３を介して送信される。
【００２７】
空調制御リモートコントローラー７１は、例えば、表示部７３を備える。空調制御リモートコントローラー７１は、例えば、専用伝送線３３を介して送信された各種信号を表示部７３で表示する。表示部７３が液晶ディスプレイにタッチパネルを重ねて形成されたものであれば、表示部７３と操作部７５とが一体的に形成され、操作性は向上される。この場合、表示部７３は液晶ディスプレイで形成され、操作部７５はタッチパネルで形成されるため、表示部７３に表示される各種内容に図示しない操作者が触れることで操作部７５が操作される。したがって、例えば、液晶ディスプレイに表示される各種内容は、タッチパネルが操作されることで切換表示される。
【００２８】
空調制御リモートコントローラー７１は、照度センサー８１、人感センサー８３、及び温度／湿度センサー８５を備える。照度センサー８１は、空調制御リモートコントローラー７１の周囲における照度を検知する。人感センサー８３は、空調制御リモートコントローラー７１の近くにおける人の存否を判定する。例えば、空調制御リモートコントローラー７１は、人感センサー８３で人の不在が検知された場合、表示部７３のバックライトを消灯させ、人感センサー８３で人の存在が検知された場合、表示部７３のバックライトを点灯させることで省エネを促進させる。温度／湿度センサー８５は、空調制御リモートコントローラー７１の周囲における温度及び湿度を検知する。
【００２９】
なお、上記で説明した汎用機器２１及び空調設備２３は一例を示し、特にこれらに限定しない。例えば、空調制御リモートコントローラー７１は、表示部７３として液晶ディスプレイを備え、操作部７５として複数の押しボタン等を備え、照度センサー８１、人感センサー８３、及び温度／湿度センサー８５といった各種センサーを備えないものであってもよい。また、空調制御リモートコントローラー７１が室内機５３毎に設けられる一例について説明したが、集中制御するリモートコントローラーが１台設けられる場合であってもよい。また、室外機５１及び室内機５３の台数は特に限定しない。また、上記で説明した汎用機器２１内の各構成要素の接続関係及び空調設備２３の各構成要素の接続関係は一例を示すだけであり、特にこれらに限定しない。
【００３０】
次に、室外機５１について説明する。図２は、本発明の実施の形態１における室外機５１の詳細構成の一例を示す図である。図２に示すように、室外機５１は、圧縮機１１１、四方切換弁１１３、室外機側熱交換器１１５、室外機側膨張弁１１７、アキュムレーター１１９、室外機側ファン１２１、室外機制御手段１３１、及び室外機通信手段１３３を備える。
【００３１】
室外機通信手段１３３は、専用伝送線３３を介して各種信号等を送受信する。室外機制御手段１３１は、室外機温度センサー６１が室外機５１に設けられている。室外機温度センサー６１は室外機５１周辺の温度を検知する機器である。室外機制御手段１３１は、室外機通信手段１３３から供給された各種信号等と、室外機温度センサー６１の検知結果に基づいて、圧縮機１１１、四方切換弁１１３、室外機側膨張弁１１７、及び室外機側ファン１２１の駆動を制御する。
【００３２】
なお、図２において、室外機温度センサー６１が室外機５１の外部に設けられているように図示されているが、特にこれに限定しない。室外機温度センサー６１は、室外機５１周辺の温度が検知されればよい。
【００３３】
圧縮機１１１は、吸入した冷媒を圧縮し、運転周波数に基づいて任意の圧力を加えて吐出する装置である。圧縮機１１１は、例えば、運転周波数を任意に変化させることで容量、例えば、単位時間当たりの冷媒を送り出す量を変化させるインバータ回路を用いて容量を可変させるインバータ圧縮機であってもよい。四方切換弁１１３は、例えば、冷房運転又は暖房運転に応じて、冷媒配管の経路を切り換える弁である。室外機側熱交換器１１５は、熱交換器を通過する冷媒と空気との熱交換を行う機器である。室外機側膨張弁１１７は、室外機制御手段１３１の制御信号に基づいて、弁の開度を調整し、冷媒の流量を制御する装置である。アキュムレーター１１９は、冷媒液を溜め、気相の冷媒だけを圧縮機１１１に吸入させる装置である。室外機側ファン１２１は、例えば、室外機側熱交換器１１５に、室外機側熱交換器１１５と熱交換する空気を送る装置である。
【００３４】
次に、室内機５３について説明する。図３は、本発明の実施の形態１における室内機５３の詳細構成の一例を示す図である。図３に示すように、室内機５３は、室内機側熱交換器２１５、室内機側膨張弁２１７、室内機側ファン２２１、室内機制御手段２３１、及び室内機通信手段２３３を備える。
【００３５】
室内機通信手段２３３は、専用伝送線３３を介して各種信号等を送受信する。室内機制御手段２３１は、室内機湿度センサー６３及び室内機温度センサー６５を備える。室内機湿度センサー６３は空調対象空間の湿度を検知する機器である。室内機温度センサー６５は空調対象空間の温度を検知する機器である。室内機制御手段２３１は、室内機通信手段２３３から供給された各種信号等と、室内機湿度センサー６３の検知結果と、室内機温度センサー６５の検知結果とに基づいて、室内機側膨張弁２１７及び室内機側ファン２２１の駆動を制御する。
【００３６】
なお、図３において、室内機湿度センサー６３及び室内機温度センサー６５は、室内機５３の外部に設けられているように図示されているが、特にこれに限定しない。室内機湿度センサー６３は空調対象空間の湿度が検知されればよく、室内機温度センサー６５は、空調対象空間の温度が検知されればよい。
【００３７】
室内機側熱交換器２１５は、熱交換器内を通過する冷媒と空気との熱交換を行う機器である。室内機側膨張弁２１７は、室内機制御手段２３１の制御信号に基づいて、弁の開度を調整し、冷媒の流量を制御する装置である。室内機側ファン２２１は、例えば、室内機側熱交換器２１５に、室内機側熱交換器２１５と熱交換する空気を送る装置である。
【００３８】
なお、以降の説明において、室外機５１及び室内機５３を総称して空調機と称する。
【００３９】
以上、空調設備２３の一例について説明したが、特にこれらに限定しない。要するに、本実施の形態１における空調設備２３とは、通信プロトコルが非公開の専用伝送線３３に接続され、空調対象空間に存在する空気の調和に関連する機器のことである。なお、以降の説明において、空調設備２３とは、専用伝送線３３と接続関係にある機器、又は、専用伝送線３３と接続関係にあった機器を示すこととする。よって、空調設備２３とは、例えば、１又は複数の室外機５１、１又は複数の室内機５３、及び１又は複数の空調制御リモートコントローラー７１等の少なくとも１台を意味する。
【００４０】
次に、汎用機器コントローラー１１について説明する。図４は、本発明の実施の形態１における汎用機器コントローラー１１の機能的構成の一例を示す図である。汎用機器コントローラー１１は、空調設備２３と、汎用機器２１とを指定した複合的な制御信号に基づいて、空調設備２３及び汎用機器２１を連動制御する。図４に示すように、汎用機器コントローラー１１は、インターフェース構成部３０１と、処理構成部３０３と、入出力ポート３０５とを備える。
【００４１】
インターフェース構成部３０１は、記憶部３５５を備え、専用伝送線３３を流れる通信フレームを受信し、受信した通信フレームを記憶部３５５に記憶し、記憶部３５５に記憶した通信フレームを所定の間隔で処理構成部３０３に供給する。すなわち、インターフェース構成部３０１は、空調設備２３と、処理構成部３０３との間で送受信される各種信号を中継する。
【００４２】
通信フレームは、専用伝送線３３を介した通信で用いられる通信プロトコルに準拠した形式で形成されたものである。通信フレームは、例えば、送信元アドレス、送信先アドレス、通信コマンドの電文長等の実データを含むヘッダー部と、通信コマンド部と、伝送エラーを検出するコード等を含むフレームチェック部とで構成されている。
【００４３】
通信コマンド部は、通信コマンドの分類を示す通信コマンド分類部、通信コマンドの動作内容を表す動作内容部、及び通信コマンドの動作対象を表す動作対象部等で構成されている。なお、上記で説明した通信フレームは一例を示し、特にこれに限定しない。
【００４４】
なお、管理データを含む通信フレームは、本発明における第１信号に相当する。例えば、室外機５１又は室内機５３は、専用伝送線３３上に管理データを送信する。そのとき、インターフェース構成部３０１は、専用伝送線３３上に流れる管理データを収集する。そして、インターフェース構成部３０１は、管理データが必要な管理データであるか否かを判定し、必要な場合には、管理データと、管理データに対応した管理アドレスとを記憶する。また、インターフェース構成部３０１は、所定の周期で室外機５１又は室内機５３に対して管理データの返信を要求する。また、インターフェース構成部３０１は、室外機５１又は室内機５３から収集した管理データ等を収集時とは異なる所定の周期で処理構成部３０３に供給する。
【００４５】
ここで、管理データとは、例えば、圧縮機１１１の吸い込み温度又は室内機５３の運転モード等である。また、管理アドレスとは、管理データの送信元アドレスであり、管理アドレスが特定されることで、空気調和システム１を構成するネットワーク構成要素が特定される。ネットワーク構成要素とは、例えば、室外機５１、室内機５３、加湿器１０１、ヒーター１０３、換気扇１０５、及び温度／湿度センサー１０７等である。なお、汎用機器コントローラー１１が管理対象とする管理アドレスは、予め記憶しておいてもよく、インターフェース構成部３０１が収集する通信フレームに含まれていてもよい。
【００４６】
入出力ポート３０５は、制御部４１７、第３通信部４２０、第４通信部４２１、アナログポート４３１、デジタルポート４３３、ＵＳＢ（Ｕｎｉｖｅｒｓａｌ  Ｓｅｒｉａｌ  Ｂｕｓ）ポート４３５、無線ポート４３７、ＬＡＮ（Ｌｏｃａｌ  Ａｒｅａ  Ｎｅｔｗｏｒｋ）ポート４３９、及び記憶部４５５を備える。
【００４７】
制御部４１７は、入出力ポート３０５を統括制御する。第３通信部４２０は、制御部４１７と、第２通信部４０３との通信を中継する。第４通信部４２１は、制御部４１７と、アナログポート４３１との通信を中継する。また、第４通信部４２１は、制御部４１７と、デジタルポート４３３との通信を中継する。また、第４通信部４２１は、制御部４１７と、ＵＳＢポート４３５との通信を中継する。また、第４通信部４２１は、制御部４１７と、無線ポート４３７との通信を中継する。また、第４通信部４２１は、制御部４１７と、ＬＡＮポート４３９との通信を中継する。記憶部４５５は、各種信号等を記憶する。
【００４８】
なお、制御部４１７、第３通信部４２０、第４通信部４２１、及び記憶部４５５はなくてもよい。この場合には、制御部モジュール４０７、第２通信部４０３、及び記憶部モジュール４０５にそれらの機能が実装されればよい。
【００４９】
アナログポート４３１は、アナログポート４３１に接続された汎用機器２１から供給されるアナログ信号を受信し、第４通信部４２１に供給する機器である。また、アナログポート４３１は、第４通信部４２１から供給される各種信号を所定のレンジ範囲のアナログ信号に変換し、アナログポート４３１に接続された汎用機器２１に供給してもよい。また、アナログポート４３１は、アナログポート４３１に割り当てられている入出力ポート番号を第４通信部４２１及び第３通信部４２０を介して処理構成部３０３に供給する。
【００５０】
デジタルポート４３３は、デジタルポート４３３に接続された汎用機器２１から供給されるデジタル信号を受信し、第４通信部４２１に供給する機器である。また、デジタルポート４３３は、第４通信部４２１から供給される各種信号を所定のレンジ範囲のデジタル信号に変換し、デジタルポート４３３に接続された汎用機器２１に供給してもよい。また、デジタルポート４３３は、デジタルポート４３３に割り当てられている入出力ポート番号を第４通信部４２１及び第３通信部４２０を介して処理構成部３０３に供給する。
【００５１】
ＵＳＢポート４３５は、ＵＳＢポート４３５に接続される汎用機器２１から供給される各種信号を受信し、第４通信部４２１に供給する機器である。また、ＵＳＢポート４３５は、第４通信部４２１から供給される各種信号を所定のレンジ範囲の各種信号に変換し、ＵＳＢポート４３５に接続される汎用機器２１に供給してもよい。また、ＵＳＢポート４３５は、ＵＳＢポート４３５に割り当てられている入出力ポート番号を第４通信部４２１及び第３通信部４２０を介して処理構成部３０３に供給する。
【００５２】
無線ポート４３７は、無線ポート４３７と通信リンクが確立される汎用機器２１から供給される各種信号を無線媒体を介して受信し、第４通信部４２１に供給する機器である。また、無線ポート４３７は、第４通信部４２１から供給される各種信号を所定のレンジ範囲の各種信号に変換し、無線媒体を介して無線ポート４３７と通信リンクが確立される汎用機器２１に供給してもよい。また、無線ポート４３７は、無線ポート４３７に割り当てられている入出力ポート番号を第４通信部４２１及び第３通信部４２０を介して処理構成部３０３に供給する。なお、無線ポート４３７は、例えば、赤外線又はＢｌｕｅｔｏｏｔｈ（登録商標）等の無線信号を送受信する。
【００５３】
なお、上記で説明した各種ポートは一例を示し、特にこれに限定しない。例えば、入出力ポートは、光通信用の光ポートを備えていてもよい。
【００５４】
なお、入出力ポート番号を含む通信フレームは、本発明における第２信号に相当する。
【００５５】
処理構成部３０３は、第１通信部４０１、第２通信部４０３、記憶部モジュール４０５、及び制御部モジュール４０７を備える。第１通信部４０１は、インターフェース構成部３０１から供給される各種信号等を所定の形式の信号に変換し、制御部モジュール４０７に供給する。第２通信部４０３は、入出力ポート３０５から供給される各種信号等を所定の形式の信号に変換し、制御部モジュール４０７に供給する。
【００５６】
記憶部モジュール４０５は、収集データ記憶領域４１１と、ＰＬＣプログラム記憶領域４１３が形成されている。収集データ記憶領域４１１には、インターフェース構成部３０１から供給される各種信号のうち、管理データが記憶される。また、収集データ記憶領域４１１には、管理データに対応した管理アドレスが記憶される。また、収集データ記憶領域４１１には、入出力ポート３０５から供給される各種信号のうち、入出力ポート番号が記憶される。
【００５７】
一方、ＰＬＣプログラム記憶領域４１３には、ＰＬＣプログラムの制御シーケンスである制御ロジックと、制御ロジックに用いられる閾値と、後述する各種動作を行う際に用いるデータ収集周期とが記憶される。なお、上記の説明では、ＰＬＣプログラムに関するものがＰＬＣプログラム記憶領域４１３に記憶される点について説明したが、特にこれに限定しない。例えば、制御ロジックと、制御ロジックに関するパラメータとが記憶されればよい。具体的には、制御ロジックに対応したオブジェクトコードと、そのオブジェクトコードで使用されるパラメータに紐付けされた各種データとが記憶されていればよい。要するに、特定のプログラミング言語及び言語体系に依存せず、制御指令に関するものが記憶されていればよい。
【００５８】
制御部モジュール４０７は、更新可能なプログラムモジュールで形成され、適宜交換が可能なものである。制御部モジュール４０７は、ＰＬＣプログラム記憶領域に記憶されている制御ロジックを実行するための物理的な実行環境を設定し、制御ロジックを制御する。例えば、制御部モジュール４０７は、空調設備２３と、汎用機器２１とを連動制御する制御ロジックを実行する前には、制御ロジックの入力条件及び出力条件に基づいて汎用機器コントローラー１１が備える図示しないレジスタ等を割り当てる。
【００５９】
次に、制御部モジュール４０７は、制御ロジックを実行するときには、割り当てたレジスタ等を用いて各種演算を実行し、図示しない内部リレー等を動作させることで、第１通信部４０１及びインターフェース構成部３０１を介して空調設備２３に制御信号等を送信し、第２通信部４０３及び入出力ポート３０５を介して汎用機器２１に制御信号等を送信する。
【００６０】
なお、汎用機器コントローラー１１の各機能をハードウェアで実現するか、ソフトウェアで実現するかは問わない。つまり、本実施の形態で説明される各ブロック図は、ハードウェアのブロック図と考えても、ソフトウェアによる機能ブロック図と考えてもよい。例えば、各ブロック図は、回路デバイス等のハードウェアで実現されてもよく、プロセッサ等の演算装置上で実行されるソフトウェアで実現されてもよい。
【００６１】
次に、制御部モジュール４０７が更新される作業の一例について図５を用いて説明する。図５は、本発明の実施の形態１における記憶部９６８に割り当てられている各種データ及び処理構成部３０３の物理的構成の一例を示す図である。図５に示すように、処理構成部３０３は、その物理的構成として、ＣＰＵ（Ｃｅｎｔｒａｌ  Ｐｒｏｃｅｓｓｉｎｇ  Ｕｎｉｔ）９６１、ＲＯＭ（Ｒｅａｄ  Ｏｎｌｙ  Ｍｅｍｏｒｙ）９６２、ＲＡＭ（Ｒａｎｄｏｍ  Ａｃｃｅｓｓ  Ｍｅｍｏｒｙ）９６３、バス９６４、入出力インターフェース９６５、入力部９６６、出力部９６７、記憶部９６８、通信部９６９、及びドライブ９７０等を備える。
【００６２】
ＣＰＵ９６１、ＲＯＭ９６２、及びＲＡＭ９６３は、バス９６４を介して相互に接続されている。ＣＰＵ９６１、ＲＯＭ９６２、及びＲＡＭ９６３は、バス９６４を介して入出力インターフェース９６５が接続されている。入出力インターフェース９６５には、入力部９６６、出力部９６７、記憶部９６８、通信部９６９、及びドライブ９７０が接続されている。
【００６３】
ＣＰＵ９６１は、ＲＯＭ９６２又は記憶部９６８に記憶されている各種プログラムに基づいて各種処理を実行する。ＲＡＭ９６３には、ＣＰＵ９６１が実行する各種プログラム又は各種データ等が適宜記憶される。ＣＰＵ９６１は、入力部９６６から入力される各種信号に対応して各種処理を実行する。ＣＰＵ９６１は、各種処理の結果を出力部９６７に出力する。
【００６４】
記憶部９６８は、例えば、ハードディスク又は半導体メモリ等で構成され、ＣＰＵ９６１が実行する各種プログラムまたは各種データを記憶する。通信部９６９は、処理構成部３０３の外部と各種通信を行う。ドライブ９７０は、各種媒体が装着された場合、それを駆動し、各種媒体に記憶されている各種データを取得し、必要に応じて記憶部９６８に転送させる。
【００６５】
記憶部９６８には、図４に示す記憶部モジュール４０５に対応する各種データと、図４に示す制御部モジュール４０７に対応するデータとが記憶される。具体的には、記憶部モジュール４０５としては、図４に示すように、収集データ記憶領域４１１と、ＰＬＣプログラム記憶領域４１３とが割り当てられている。
【００６６】
図５に示すように、収集データ記憶領域４１１には、汎用機器２１を一意に特定する入出力ポート番号、空調設備２３に関するデータである管理データ、空調設備２３を特定する管理データに対応した管理アドレスが記憶される。
【００６７】
図５に示すように、ＰＬＣプログラム記憶領域４１３には、制御ロジックのデータ、制御ロジックに用いられる閾値のデータ、及びデータ収集周期のデータが記憶される。
【００６８】
そこで、制御ロジックのデータ、制御ロジックに用いられる閾値のデータ、データ収集周期のデータ、制御部モジュール４０７のデータがメモリカード１２が備えるＲＡＭ１３に格納されれば、メモリカード１２を介して汎用機器コントローラー１１に格納されている制御部モジュール４０７を交換することで制御部モジュール４０７を更新することができる。
【００６９】
例えば、ドライブ９７０は、メモリカード１２が装着されたとき、それを駆動し、ＲＡＭ１３に記憶されている制御部モジュール４０７のデータ、制御ロジックのデータ、制御ロジックに用いられる閾値のデータ、及びデータ収集周期のデータ等を取得する。取得された各種データは、必要に応じて記憶部９６８に転送され、記憶される。
【００７０】
なお、メモリカード１２はその実装形態を特に限定しない。例えば、メモリカード１２は、ＳＲＡＭ（Ｓｔａｔｉｃ  Ｒａｎｄｏｍ  Ａｃｃｅｓｓ  Ｍｅｍｏｒｙ）で構成されてもよい。また、例えば、メモリカード１２は、ＣｏｍｐａｃｔＦｌａｓｈ（登録商標）で実装されてもよい。また、例えば、メモリカード１２は、ＡＴＡ（ＡＴ  Ａｔｔａｃｈｍｅｎｔ）カードで実装されてもよい。
【００７１】
なお、制御部モジュール４０７の更新は、通信部９６９を介して実行されてもよい。例えば、通信部９６９を介してインターネット等を用いて処理構成部３０３に制御部モジュール４０７のデータがアップロードされることで更新されてもよい。
【００７２】
次に、ＰＬＣプログラムが更新される作業の一例について図６〜図８を用いて説明する。図６は、本発明の実施の形態１におけるＰＬＣプログラムの更新時に使用されるデバイスの一例を示す図である。図７は、本発明の実施の形態１におけるＰＬＣプログラムの編集画面６０１の一例を示す図である。
【００７３】
空調制御リモートコントローラー７１でＰＬＣプログラムが更新される場合、専用伝送線３３を介して汎用機器コントローラー１１から図７を用いて後述する編集画面６０１が呼び出される。この場合、操作者によって操作部７５が操作されることで各種更新作業が実施され、実施結果は表示部７３に表示される。
【００７４】
一方、クライアント端末１０９でＰＬＣプログラムが更新される場合、汎用伝送線３０を介して汎用機器コントローラー１１から図７を用いて後述する編集画面６０１が呼び出される。この場合、クライアント端末１０９の入力デバイス５０１が用いられることで各種更新作業が実施され、実施結果は出力デバイス５０３に表示される。なお、この場合、入力デバイス５０１は、例えば、キーボート及びマウスであり、出力デバイス５０３は、例えば、液晶ディスプレイである。
【００７５】
次に、編集画面６０１について図７を用いて説明する。編集画面６０１には、例えば、編集ウィンドウ６０３と、入力ウィンドウ６０５とが表示される。編集ウィンドウ６０３には、編集領域６３１が表示され、編集領域６３１に入力ウィンドウ６０５の操作結果が反映される。入力ウィンドウ６０５には、例えば、デバイス選択領域６１１、デバイス名入力領域６１３、ＯＫボタン６１５、及び取消ボタン６１７が形成されている。デバイス選択領域６１１には、例えば、Ａ接点直列接続を意味する記号が表示されている。デバイス名入力領域６１３には、例えば、内部リレーとしてＭ０１が指定されている。この状態で、ＯＫボタン６１５が操作されれば、編集領域６３１にはその結果が反映される。なお、ここでいうデバイスとは仮想的なデバイスのことであり、ＰＬＣプログラムを構成する要素を意味する。なお、上記で説明した各種記号、各種パラメータ、各種表示画面は一例を示し、特にこれらに限定しない。
【００７６】
次に、上記で説明した内容に基づいて、ＰＬＣプログラム更新処理の動作について図８を用いて説明する。図８は、本発明の実施の形態１における汎用機器コントローラー１１のＰＬＣプログラム更新処理の一例を説明するフローチャートである。
【００７７】
ステップＳ１１において、汎用機器コントローラー１１は、ＰＬＣプログラム編集開始指令があるか否かを判定する。汎用機器コントローラー１１は、ＰＬＣプログラム編集開始指令がある場合、ステップＳ１２に進む。一方、汎用機器コントローラー１１は、ＰＬＣプログラム編集開始指令がない場合、ステップＳ１１に戻る。
【００７８】
ステップＳ１２において、汎用機器コントローラー１１は、ＰＬＣプログラム編集画面を表示させる。例えば、汎用機器コントローラー１１は、図６に示す接続構成において、空調制御リモートコントローラー７１の表示部７３又はクライアント端末１０９の出力デバイス５０３に、図７に示す編集画面６０１を表示させる。
【００７９】
ステップＳ１３において、汎用機器コントローラー１１は、入出力ポートの名称が入力されたか否かを判定する。汎用機器コントローラー１１は、入出力ポートの名称が入力された場合、ステップＳ１４に進む。一方、汎用機器コントローラー１１は、入出力ポートの名称が入力されない場合、ステップＳ１５に進む。
【００８０】
なお、以降の処理において、各種入力操作は、図６に示す空調制御リモートコントローラー７１の操作部７５又はクライアント端末１０９の入力デバイス５０１を介して行われ、それらの操作に応じた各種信号が汎用機器コントローラー１１に送信され、汎用機器コントローラー１１でそれらの操作に応じた各種登録が実行される。
【００８１】
ステップＳ１４において、汎用機器コントローラー１１は、入出力ポートの名称を登録する。例えば、汎用機器コントローラー１１は、入出力ポートの名称として、入出力ポート３０５に接続されている汎用機器２１の名称、例えば、加湿器１０１、ヒーター１０３、換気扇１０５、及び温度／湿度センサー１０７等を登録する。このようにして登録された入出力ポートの名称は、図４に示すＰＬＣプログラム記憶領域４１３に記憶される。例えば、各名称は、図５に示す制御ロジックに用いられる閾値を格納する領域に、その閾値と紐付けして記憶される。また、汎用機器コントローラー１１と、空調設備２３、例えば、室外機５１及び室内機５３との論理的な接続関係は汎用機器コントローラー１１側で予め登録されている。よって、空調設備２３と、汎用機器２１との論理的な接続構成が紐付けされる。したがって、図６に示す空調制御リモートコントローラー７１の表示部７３又はクライアント端末１０９の出力デバイス５０３で、空調設備２３と、汎用機器２１との論理的な接続関係を表示させることが可能となる。
【００８２】
ステップＳ１５において、汎用機器コントローラー１１は、入力条件が入力されたか否かを判定する。汎用機器コントローラー１１は、入力条件が入力された場合、ステップＳ１６に進む。一方、汎用機器コントローラー１１は、入力条件が入力されない場合、ステップＳ１７に進む。
【００８３】
ステップＳ１６において、汎用機器コントローラー１１は、入力条件を登録する。例えば、汎用機器コントローラー１１には、入力条件として、室内機５３の空調対象空間の温度及び照度等が登録される。また、このようにして登録された各種入力条件は、図９〜図１３を用いて後述するように、インターフェース構成部３０１で所定の周期毎に要求されて収集され、収集されたものは、要求時とは異なる所定の周期毎に処理構成部３０３に供給され、図４に示す収集データ記憶領域４１１に記憶される。なお、収集処理の際、空調設備２３の指定は管理アドレスに基づいて特定され、汎用機器２１の指定は入出力ポート番号に基づいて特定される。なお、各周期は適宜汎用機器コントローラー１１を操作する操作者によって変更可能である。
【００８４】
ステップＳ１７において、汎用機器コントローラー１１は、制御ロジックが入力されたか否かを判定する。汎用機器コントローラー１１は、制御ロジックが入力された場合、ステップＳ１８に進む。一方、汎用機器コントローラー１１は、制御ロジックが入力されない場合、ステップＳ１９に進む。
【００８５】
ステップＳ１８において、汎用機器コントローラー１１は、制御ロジックを登録する。制御ロジックは、例えば、後述するように、ＡＮＤ条件、ＯＲ条件、及び閾値等で定義される。具体的には、室内機５３の設定温度が閾値以上であるか否か、又は、汎用機器２１の運転状態が運転中であるか否か等の条件である。
【００８６】
ステップＳ１９において、汎用機器コントローラー１１は、出力項目が入力されたか否かを判定する。汎用機器コントローラー１１は、出力項目が入力された場合、ステップＳ２０に進む。一方、汎用機器コントローラー１１は、出力項目が入力されない場合、ステップＳ２１に進む。
【００８７】
ステップＳ２０において、汎用機器コントローラー１１は、出力項目を登録する。例えば、汎用機器コントローラー１１は、出力項目を登録する際、空調設備２３に対しては、出力先を管理アドレスで特定し、汎用機器２１に対しては、出力先を入出力ポート番号で特定した上で、それらの特定先に対する動作を登録する。
【００８８】
ステップＳ２１において、汎用機器コントローラー１１は、ＰＬＣプログラム編集終了指令があるか否かを判定する。汎用機器コントローラー１１は、ＰＬＣプログラム編集終了指令がある場合、処理を終了する。そして、処理が終了した場合、各種登録結果は、図４に示す収集データ記憶領域４１１及びＰＬＣプログラム記憶領域４１３に記憶され、図７に示す編集画面６０１は終了確認画面等に移行し、終了等が選択され、編集画面６０１は閉じられる。一方、汎用機器コントローラー１１は、ＰＬＣプログラム編集終了指令がない場合、ステップＳ１３に戻る。
【００８９】
次に、汎用機器コントローラー１１が空調設備２３及び汎用機器２１を連動制御する一例について図９〜図１５を用いて説明する。図９は、本発明の実施の形態１における汎用機器コントローラー１１の連動制御処理の一例を説明するフローチャートである。
【００９０】
ステップＳ３１において、汎用機器コントローラー１１は、ＰＬＣプログラム記憶領域４１３に記憶されている各種データを読み出す。例えば、汎用機器コントローラー１１は、ＰＬＣプログラム記憶領域４１３から制御ロジックのデータ、制御ロジックに用いられる閾値のデータ、及びデータ収集周期のデータ等を読み出す。
【００９１】
ステップＳ３２において、汎用機器コントローラー１１は、収集データ記憶領域４１１に記憶されている収集対象の各種データを読み出す。例えば、汎用機器コントローラー１１は、収集データ記憶領域４１１から管理データ、管理データに対応した管理アドレス、及び入出力ポート番号を読み出す。管理データ及び管理データに対応した管理アドレスは、収集すべきものとして連動制御処理の前に登録されていると想定する。例えば、汎用機器コントローラー１１の施工時、空調設備２３のうち、管理すべきもの、つまり、必要とするものが事前に登録されることを想定する。なお、事前に登録されていなくても、空気調和システム１の運用中、管理すべき空調設備２３の管理データと、その管理データに対応する管理アドレスとが適宜登録されてもよい。
【００９２】
ステップＳ３３において、汎用機器コントローラー１１は、詳細については図１０を用いて後述する第１データ収集処理を実行し、第１データ収集処理が終了後、ステップＳ３４に進む。
【００９３】
ステップＳ３４において、汎用機器コントローラー１１は、詳細については図１３を用いて後述する第２データ収集処理を実行し、第２データ収集処理が終了後、ステップＳ３５に進む。
【００９４】
ステップＳ３５において、汎用機器コントローラー１１は、制御ロジックの各種条件を満足しているか否かを判定する。汎用機器コントローラー１１は、制御ロジックの各種条件を満足している場合、ステップＳ３６に進む。一方、汎用機器コントローラー１１は、制御ロジックの各種条件を満足していない場合、ステップＳ３３に戻る。
【００９５】
例えば、ＰＬＣプログラムに記述された各制御シーケンスに基づいて対応する出力条件が満足しているか否かを判定し、満足している場合にはその出力条件に応じた処理がステップＳ３６で実行される。
【００９６】
ステップＳ３６において、汎用機器コントローラー１１は、制御ロジックに基づいて各種制御を実行する。なお、汎用機器コントローラー１１は、制御ロジックに記述された各種制御を実行の際、適宜必要に応じてＰＬＣプログラムで設定された出力制御を実行する。
【００９７】
ステップＳ３７において、汎用機器コントローラー１１は、第１所定周期が経過したか否かを判定する。汎用機器コントローラー１１は、第１所定周期が経過した場合、ステップＳ３８に進む。一方、汎用機器コントローラー１１は、第１所定周期が経過しない場合、ステップＳ３７に戻る。
【００９８】
ステップＳ３８において、汎用機器コントローラー１１は、第１所定周期のカウント値をリセットし、ステップＳ３９に進む。
【００９９】
ステップＳ３９において、汎用機器コントローラー１１は、第１所定周期のカウント値のカウントを開始し、ステップＳ３３に戻る。
【０１００】
図１０は、本発明の実施の形態１における汎用機器コントローラー１１の第１データ収集処理の詳細例を説明するフローチャートである。なお、図１０で説明する処理は、専用伝送線３３上に各種信号が流れており、専用伝送線３３上を流れる信号は、専用伝送線３３に接続された全ての装置に伝わることを前提とする。すなわち、１つの装置からネットワーク内の全ての装置にブロードキャストされることが前提となっている。
【０１０１】
ステップＳ５１において、汎用機器コントローラー１１は、専用伝送線３３から信号を受信したか否かを判定する。汎用機器コントローラー１１は、専用伝送線３３から信号を受信した場合、ステップＳ５２に進む。一方、汎用機器コントローラー１１は、専用伝送線３３から信号を受信しない場合、処理を終了する。
【０１０２】
ステップＳ５２において、汎用機器コントローラー１１は、受信した信号の送信元アドレスが管理アドレスであるか否かを判定する。汎用機器コントローラー１１は、受信した信号の送信元アドレスが管理アドレスである場合、ステップＳ５３に進む。一方、汎用機器コントローラー１１は、受信した信号の送信元アドレスが管理アドレスでない場合、処理を終了する。
【０１０３】
ステップＳ５３において、汎用機器コントローラー１１は、受信した信号が必要な管理データであるか否かを判定する。汎用機器コントローラー１１は、受信した信号が必要な管理データである場合、ステップＳ５４に進む。一方、汎用機器コントローラー１１は、受信した信号が必要な管理データでない場合、処理を終了する。
【０１０４】
ステップＳ５４において、汎用機器コントローラー１１は、管理アドレスと管理データとを関連付けて記憶する。
【０１０５】
ステップＳ５５において、汎用機器コントローラー１１は、管理データ取得処理を実行し、管理データ取得処理が終了後、処理を終了する。
【０１０６】
図１１は、本発明の実施の形態１における汎用機器コントローラー１１の管理データ取得処理の詳細例を説明するフローチャートである。図１１で説明する処理は、予め定めた第１所定周期毎に行う管理データの収集処理の一例である。
【０１０７】
ステップＳ６１において、汎用機器コントローラー１１は、管理アドレス毎に管理データの返信を要求する。なお、上述の説明では、管理アドレス毎に管理データの返信を要求する一例について説明したが、必要な管理データを一括して返信要求してもよい。
【０１０８】
ステップＳ６２において、汎用機器コントローラー１１は、管理データの返信があるか否かを判定する。汎用機器コントローラー１１は、管理データの返信がある場合、ステップＳ６３に進む。一方、汎用機器コントローラー１１は、管理データの返信がない場合、ステップＳ６２に戻る。
【０１０９】
なお、ステップＳ６２において、汎用機器コントローラー１１は、管理データの返信がない場合、ステップＳ６２には戻らずに、以下に説明する処理を実行後、ステップＳ６３に移行してもよい。例えば、管理データの返信がない場合、その管理データに対応する空調設備２３は、専用伝送線３３との論理的な接続関係が解消されていると定義する。このように定義した上で、汎用機器コントローラー１１は、管理データの返信がない場合、その管理データに対応する空調設備２３を制御対象から外す。つまり、その分を用いた制御ロジックに関しては始めからその制御ロジックが実装されなかったとみなす処理を実行する。
【０１１０】
ステップＳ６３において、汎用機器コントローラー１１は、受信した管理データが必要な管理データであるか否かを判定する。汎用機器コントローラー１１は、受信した管理データが必要な管理データである場合、ステップＳ６４に進む。この場合、汎用機器コントローラー１１は、専用伝送線３３を流れる信号から管理データを抽出する。ここで、管理データには、送信元アドレス、送信先アドレス、及び実データが含まれる。一方、汎用機器コントローラー１１は、受信した管理データが必要な管理データでない場合、ステップＳ６１に戻る。
【０１１１】
ステップＳ６４において、汎用機器コントローラー１１は、管理アドレスと管理データとを関連付けて記憶する。管理アドレスは、例えば、返信に係る信号に含まれる送信元アドレスである。
【０１１２】
ステップＳ６５において、汎用機器コントローラー１１は、全ての管理アドレスについて管理データの返信の要求が終了したか否かを判定する。汎用機器コントローラー１１は、全ての管理アドレスについて管理データの返信の要求が終了した場合、ステップＳ６６に進む。一方、汎用機器コントローラー１１は、全ての管理アドレスについて管理データの返信の要求が終了しない場合、ステップＳ６１に戻る。
【０１１３】
ステップＳ６６において、汎用機器コントローラー１１は、第２所定周期対応処理を実行し、第２所定周期対応処理が終了後、処理を終了する。
【０１１４】
図１２は、本発明の実施の形態１における汎用機器コントローラー１１の第２所定周期対応処理の詳細例を説明するフローチャートである。図１２で説明する処理は、インターフェース構成部３０１から処理構成部３０３に管理データの送信が第２所定周期毎に実行される一例について示される。
【０１１５】
ステップＳ７１において、汎用機器コントローラー１１は、第２所定周期が経過したか否かを判定する。汎用機器コントローラー１１は、第２所定周期が経過した場合、ステップＳ７２に進む。汎用機器コントローラー１１は、第２所定周期が経過しない場合、ステップＳ７１に戻る。
【０１１６】
ステップＳ７２において、汎用機器コントローラー１１は、インターフェース構成部３０１の管理データを処理構成部３０３に送信する。
【０１１７】
ステップＳ７３において、汎用機器コントローラー１１は、第２所定周期のカウント値をリセットする。
【０１１８】
ステップＳ７４において、汎用機器コントローラー１１は、第２所定周期のカウント値のカウントを開始し、処理を終了する。
【０１１９】
よって、汎用機器コントローラー１１内部において、インターフェース構成部３０１から処理構成部３０３に管理データの送信が第２所定周期毎に実行される。
【０１２０】
図１３は、本発明の実施の形態１における汎用機器コントローラー１１の第２データ収集処理の詳細例を説明するフローチャートである。
【０１２１】
ステップＳ８１において、汎用機器コントローラー１１は、入出力ポート毎に入出力ポート番号の返信を要求する。
【０１２２】
ステップＳ８２において、汎用機器コントローラー１１は、入出力ポート番号の返信があるか否かを判定する。汎用機器コントローラー１１は、入出力ポート番号の返信がある場合、ステップＳ８３に進む。一方、汎用機器コントローラー１１は、入出力ポート番号の返信がない場合、ステップＳ８２に戻る。
【０１２３】
なお、ステップＳ８２において、汎用機器コントローラー１１は、入出力ポート番号の返信がない場合、ステップＳ８２には戻らずに、以下に説明する処理を実行後、ステップＳ８３に移行してもよい。例えば、入出力ポート番号の返信がない場合、その入出力ポート番号に対応する汎用機器２１は、入出力信号線３１との論理的な接続関係が解消されていると定義する。このように定義した上で、汎用機器コントローラー１１は、入出力ポート番号の返信がない場合、その入出力ポート番号に対応する汎用機器２１を制御対象から外す。つまり、その分を用いた制御ロジックに関しては始めからその制御ロジックが実装されなかったとみなす処理を実行する。
【０１２４】
ステップＳ８３において、汎用機器コントローラー１１は、入出力ポート番号を記憶する。
【０１２５】
ステップＳ８４において、汎用機器コントローラー１１は、全ての入出力ポートについて入出力ポート番号の返信の要求が終了したか否かを判定する。汎用機器コントローラー１１は、全ての入出力ポートについて入出力ポート番号の返信の要求が終了した場合、処理を終了する。一方、汎用機器コントローラー１１は、全ての入出力ポートについて入出力ポート番号の返信の要求が終了しない場合、ステップＳ８１に戻る。
【０１２６】
なお、本実施の形態１の動作を行うプログラムを記述するステップは、記載された順序に沿って時系列的に行われる処理はもちろん、必ずしも時系列的に処理されなくとも、並列的又は個別に実行される処理をも含む。
【０１２７】
図１４は、本発明の実施の形態１における各種ＰＬＣプログラムの一例を示す図である。図１４に示すように、第１ＰＬＣプログラム７０１が記述されていたと想定する。第１ＰＬＣプログラム７０１において、汎用機器パラメータとしてＤ１３が定義されている。Ｄ１３は、例えば、汎用機器コントローラー１１内部のデータを格納するレジスタの一つである。汎用機器２１として温度／湿度センサー１０７がアナログポート４３１に接続されていたとする。この状態において、Ｄ１３には温度／湿度センサー１０７の検知結果の一つである温度データが格納されたとする。そこで、Ｄ１３を各閾値と比較することで、第１連動制御８０１、第２連動制御８０２、及び第３連動制御８０３の何れかが選択される処理が記述されている。また、Ｋ２００は１０進数の定数であって、２０を意味し、Ｋ３００は１０進数の定数であって、３０を意味し、Ｋ４００は１０進数の定数であって４０を意味すると定義する。
【０１２８】
例えば、Ｄ１３がＫ２００より小さい場合、すなわち、Ｄ１３に格納された温度データが２０より小さい場合、第１連動制御８０１が実行される。例えば、温度データが１５であった場合、２０より小さいので、第１連動制御８０１が実行される。この意味は、例えば、検知結果が１５℃であって、閾値が２０℃なので、第１連動制御８０１が選択されたということである。つまり、Ｄ１３に格納された閾値を用いて連動制御のロジックが実行される。
【０１２９】
また、例えば、Ｄ１３がＫ３００と同じ場合、すなわち、Ｄ１３に格納された温度データが３０より小さい場合、第２連動制御８０２が実行される。例えば、温度データが３０であった場合、３０と同じであるので、第２連動制御８０２が実行される。この意味は、例えば、検知結果が３０℃であって、閾値が３０℃なので、第２連動制御８０２が選択されたということである。つまり、Ｄ１３に格納された閾値を用いて連動制御のロジックが実行される。
【０１３０】
また、例えば、Ｄ１３がＫ４００より小さい場合、すなわち、Ｄ１３に格納された温度データが４０より小さい場合、第３連動制御８０３が実行される。例えば、温度データが３５であった場合、４０より小さいので、第３連動制御８０３が実行される。この意味は、例えば、検知結果が３５℃であって、閾値が４０℃なので、第３連動制御８０３が選択されたということである。つまり、Ｄ１３に格納された閾値を用いて連動制御のロジックが実行される。
【０１３１】
また、図１４に示すように、第２ＰＬＣプログラム７０２が記述されていたと想定する。第２ＰＬＣプログラム７０２において、空調設備パラメータとしてＭ０３が定義され、汎用機器パラメータとしてＭ１３及びＭ１５が定義されている。Ｍ０３、Ｍ１３、及びＭ１５のそれぞれは、例えば、汎用機器コントローラー１１内部の補助リレーのうちの一つである。Ｍ０３はＢ接点直列接続の仮想デバイスであって、Ｍ０３が真の場合、室外機５１が停止していることを意味すると定義する。Ｍ１３はＢ設定直列接続の仮想デバイスであって、Ｍ１３が真の場合、汎用機器２１の一つである加湿器１０１を停止させることを意味すると定義する。Ｍ１５はＢ設定直列接続の仮想デバイスであって、Ｍ１５が真の場合、汎用機器２１の一つであるヒーター１０３を停止させることを意味すると定義する。なお、Ｂ接点とはノーマリーオンの接点である。
【０１３２】
例えば、室外機５１が停止している場合、加湿器１０１を停止させるとすると、第４連動制御８０４が選択される。また、室外機５１が停止している場合、ヒーター１０３を停止させるとすると、第５連動制御８０５が実行される。つまり、Ｍ０３とＭ１３とのＡＮＤ条件と、Ｍ０３とＭ１５とのＡＮＤ条件と、Ｍ１３とＭ１５とのＯＲ条件とを用いて連動制御のロジックが実行される。
【０１３３】
図１５は、本発明の実施の形態１における各種ＰＬＣプログラムの一例を示す図である。図１５に示すように、第３ＰＬＣプログラム７０３が記述されていたと想定する。第３ＰＬＣプログラム７０３において、空調設備パラメータとしてＤ１３及びＭ０７が定義され、汎用機器パラメータとしてＤ２３が定義されている。Ｄ１３及びＤ２３のそれぞれは、例えば、汎用機器コントローラー１１内部のデータを格納するレジスタの一つである。Ｍ０７は、例えば、汎用機器コントローラー１１内部の補助リレーのうちの一つであって、Ｂ接点直列接続の仮想デバイスである。例えば、Ｄ１３には室内機５３の設定温度が格納され、Ｄ２３にはアナログポート４３１に接続されている温度／湿度センサー１０７の検知結果が格納されたと想定する。また、Ｍ０７が真の場合、室内機５３が停止していることを意味すると定義する。
【０１３４】
例えば、Ｄ１３がＤ２３より小さく、かつ、Ｍ０７が真である場合、すなわち、Ｄ１３に格納された設定温度が、Ｄ２３に格納された温度／湿度センサー１０７の検知結果より小さく、かつ、室内機５３が停止している場合、第６連動制御８０６が実行される。第６連動制御８０６は、例えば、室外機５１と、デジタルポート４３３に接続されたヒーター１０３とを運転させる制御である。つまり、Ｄ１３及びＤ２３に格納された閾値を用いて連動制御のロジックが実行される。
【０１３５】
また、図１５に示すように、第４ＰＬＣプログラム７０４が記述されていたと想定する。第４ＰＬＣプログラムにおいて、汎用機器パラメータとしてＭ１１及びＭ１９が定義され、空調設備パラメータとしてＭ０１が定義されている。Ｍ０１、Ｍ１１、及びＭ１９のそれぞれは、例えば、汎用機器コントローラー１１内部の補助リレーのうちの一つであって、Ａ接点直列接続の仮想デバイスである。Ｍ１９が真の場合、無線ポート４３７が起動中であると定義する。Ｍ０１が真の場合、空調設備２３全体が運転状態であると定義する。Ｍ１１が真の場合、汎用機器２１全体が運転状態であると定義する。なお、Ａ接点とはノーマリーオフの接点である。
【０１３６】
例えば、無線ポート４３７を介してスマートフォン等から制御信号が送信され、空調設備２３及び汎用機器２１が運転状態である場合、その制御信号に応じて、第７連動制御８０７が実行される。つまり、Ｍ１９とＭ０１とＭ１１とのＡＮＤ条件を用いて連動制御のロジックが実行される。
【０１３７】
また、図１５に示すように、第５ＰＬＣプログラム７０５が記述されていたと想定する。第５ＰＬＣプログラム７０５において、空調設備パラメータとしてＤ１及びＭ０１が定義され、汎用機器パラメータとしてＤ２及びＭ１１が定義されている。Ｄ１及びＤ２のそれぞれは、例えば、汎用機器コントローラー１１内部のデータを格納するレジスタの一つである。例えば、Ｄ１には空調設備２３から管理データの返信が無いことを示すデータが格納され、Ｄ２には汎用機器２１から入出力ポート番号の返信のが無いことを示すデータが格納されたと想定する。一方、Ｍ０１及びＭ１１のそれぞれは、例えば、汎用機器コントローラー１１内部の補助リレーのうちの一つであって、Ｂ接点直列接続の仮想デバイスである。例えば、Ｍ０１が真の場合、空調設備２３全体を停止させることを意味すると定義する。また、例えば、Ｍ１１が真の場合、汎用機器２１全体を停止させることを意味すると定義する。
【０１３８】
例えば、空調設備２３から管理データの返信が無く、汎用機器２１から入出力ポート番号の返信が無い場合、空調設備２３と汎用機器２１とを停止させるか、空調設備２３を停止させるか、汎用機器２１を停止させるかが選択され、第８連動制御８０８が実行される。つまり、Ｄ１及びＤ２に格納された閾値と、Ｄ１、Ｄ２、Ｍ０１、及びＭ１１のＡＮＤ条件と、Ｄ１、Ｄ２、及びＭ０１のＡＮＤ条件と、Ｄ１、Ｄ２、及びＭ１１のＡＮＤ条件と、Ｍ０１及びＭ１１と、Ｍ０１と、Ｍ１１とのＯＲ条件とを用いて連動制御のロジックが実行される。
【０１３９】
なお、上記で説明した各種ＰＬＣプログラム、そのパラメータ、及びその閾値等は一例を示し、特にこれに限定しない。また、各種ＰＬＣプログラムの記述形式及び記述の意味も一例を示し、特にこれに限定しない。また、各種ＰＬＣプログラムに関する説明をしたが、特にこれに限定しない。例えば、制御の論理構成が定義されている制御プログラムであればよい。つまり、ＰＬＣはいわゆるプログラマブルロジックコントローラを表すものとして説明したが、一例を示しただけであって、プログラマブルロジックコントローラという構成部品に意味を限定しない。ただし、処理構成部３０３そのものが、ＰＬＣで構成されていてもよい。
【０１４０】
以上の説明から、本実施の形態１においては、汎用伝送線３０又は入出力信号線３１を介して接続される汎用機器２１と、専用伝送線３３を介して接続される空調設備２３とを制御する汎用機器コントローラー１１を備えた空気調和システム１であって、汎用機器コントローラー１１は、空調設備２３に対応する第１信号と、汎用機器２１に対応する第２信号とを受信し、第１信号及び第２信号に基づいて空調設備２３及び汎用機器２１を制御する制御信号を送信する処理構成部３０３を備え、処理構成部３０３は、第１信号に含まれる空調設備２３を指定する管理アドレスで第１制御対象である空調設備２３を指定し、第２信号に含まれる汎用機器２１を指定する入出力ポート番号で第２制御対象である汎用機器２１を指定し、第１制御対象と第２制御対象とを連動制御する制御信号を送信する空気調和システム１が構成される。
【０１４１】
上記の構成で、空調設備２３に設けられた空調機と、汎用機器２１とをそれぞれ指定した複合的な制御指令を各通信媒体を介して空調設備２３と汎用機器２１とに送るため、空調設備２３と、汎用機器２１とを連動制御することができる。よって、空調設備２３と、汎用機器２１とを含めて一体的な制御を行う空気調和システム１を提供することができる。したがって、システム全体における省エネ性及び快適性を向上させることができる。
【０１４２】
また、本実施の形態１においては、汎用機器コントローラー１１は、空調設備２３と、処理構成部３０３との間で送受信される各種信号を中継するインターフェース構成部３０１をさらに備え、インターフェース構成部３０１は、専用伝送線３３を流れる第１信号のうち、管理アドレスに基づいて収集すると判定した第１信号を収集する。
【０１４３】
また、本実施の形態１においては、インターフェース構成部３０１は、第１信号を収集するタイミングとして第１所定周期が設定され、第１所定周期毎に、空調設備２３に第１信号を要求して返信があった場合、管理アドレスに基づいて収集すると判定した第１信号を収集する。
【０１４４】
また、本実施の形態１においては、インターフェース構成部３０１は、収集した第１信号を処理構成部３０３に供給するタイミングとして第１所定周期よりも長い間隔で第２所定周期が設定され、第２所定周期毎に、収集した第１信号を処理構成部３０３に供給する。
【０１４５】
また、本実施の形態１においては、汎用機器コントローラー１１は、汎用機器２１と処理構成部３０３との間で送受信される各種信号を中継する入出力ポート３０５をさらに備え、処理構成部３０３は、第１所定周期が第２信号を収集するタイミングとして設定され、第１所定周期毎に、入出力ポート３０５に第２信号を要求して返信があった場合、第２信号に含まれる入出力ポート番号を収集する。
【０１４６】
また、本実施の形態１においては、入出力ポート３０５は、汎用機器２１の検知結果を処理構成部３０３に供給し、処理構成部３０３は、検知結果に基づいて生成した制御信号を入出力ポート３０５を介して汎用機器２１に送信する。
【０１４７】
また、本実施の形態１においては、処理構成部３０３は、管理アドレス及び入出力ポート番号に基づいて、空調設備２３と、汎用機器２１とを組み合わせた制御を実行する。
【０１４８】
また、本実施の形態１においては、処理構成部３０３は、制御信号に含まれる管理アドレスのうち、インターフェース構成部３０１から供給されなかった管理アドレスに対応する空調設備２３については、空調設備２３を制御対象から外し、制御信号に含まれる入出力ポート番号のうち、入出力ポート３０５から供給されなかった入出力ポート番号に対応する汎用機器２１については、汎用機器２１を制御対象から外す。
【０１４９】
また、本実施の形態１においては、処理構成部３０３は、第１信号及び第２信号に基づいて、予め設定された各種処理を実行する制御部モジュール４０７を備え、制御部モジュール４０７は、更新可能なプログラムモジュールで形成される。
【０１５０】
また、本実施の形態１においては、各種処理は、ＰＬＣプログラムに基づいて制御ロジックが作成され、制御部モジュール４０７は、制御ロジックの物理的な実行環境を設定し、制御ロジックを実行するものであって、ＰＬＣプログラムは、空調設備２３のうちの１つである空調制御リモートコントローラー７１及び汎用機器２１のうちの１つであるクライアント端末１０９の何れかで編集される。
【０１５１】
また、本実施の形態１においては、空調制御リモートコントローラー７１及びクライアント端末１０９の何れかで、管理アドレスに対応した空調設備２３が設定され、入出力ポート番号に対応した汎用機器２１が設定されたＰＬＣプログラムが編集される。
【０１５２】
以上の構成で、システム全体における省エネ性及び快適性を特に顕著に向上させることができる。
【０１５３】
実施の形態２．
本実施の形態２は、空気調和システム２が集中コントローラー９０１を備え、集中コントローラー９０１は、複数の空調設備２３−１及び２３−２を管理する。よって、実施の形態１との相違点は、集中コントローラー９０１が新たにシステム構成に追加された点である。なお、本実施の形態２において、特に記述しない項目については実施の形態１と同様とし、同一の機能や構成については同一の符号を用いて述べることとする。
【０１５４】
図１６は、本発明の実施の形態２における集中コントローラー９０１が空調設備２３−１及び空調設備２３−２を監視する空気調和システム２の概略構成を示す図である。図１６に示すように、集中コントローラー９０１は、専用伝送線３３に接続され、空調設備２３−１、汎用機器コントローラー１１−１、汎用機器２１−１、空調設備２３−２、汎用機器コントローラー１１−２、及び汎用機器２１−２と相互通信が可能な状態となっている。この接続構成のため、集中コントローラー９０１は、空調設備２３−１及び空調設備２３−２を監視し、各種操作をすることが可能となっている。また、集中コントローラー９０１は、汎用機器コントローラー１１−１及び汎用機器コントローラー１１−２と相互通信が可能なため、各種連携処理が可能となっている。また、集中コントローラー９０１は、汎用機器コントローラー１１−１及び汎用機器コントローラー１１−２と各種連携処理が可能なため、汎用機器２１−１及び汎用機器２１−２を監視し、各種操作を行い、各種設定を行うことが可能となっている。また、集中コントローラー９０１は、ＬＡＮ３５を介して外部装置９１１と接続されている。
【０１５５】
なお、汎用機器コントローラー１１−１及び汎用機器コントローラー１１−２を総称して汎用機器コントローラー１１と称する。また、空調設備２３−１及び空調設備２３−２を総称して空調設備２３と称する。また、汎用機器２１−１及び汎用機器２１−２を総称して汎用機器２１と称する。
【０１５６】
図１７は、本発明の実施の形態２における集中コントローラー９０１の機能的構成の一例を示す図である。図１７に示すように、集中コントローラー９０１は、インターフェース構成部９２１及び処理構成部９２３を備える。インターフェース構成部９２１は、空調設備２３及び汎用機器コントローラー１１と、処理構成部９２３との各種信号の送受信を中継し、適宜、通信プロトコルに準拠した通信フレームの変換を行う。
【０１５７】
処理構成部９２３は、第５通信部９３１、第６通信部９３３、記憶部９３５、及び制御部９３７を備え、汎用機器コントローラー１１、空調設備２３、及び汎用機器２１の監視、操作、及び設定等を行う。第５通信部９３１は、インターフェース構成部９２１と、制御部９３７との通信を中継する。第６通信部９３３は、制御部９３７と、外部装置９１１との通信を中継する。記憶部９３５は、汎用機器コントローラー１１、空調設備２３、及び汎用機器２１の監視、操作、及び設定等に関する各種データを記憶する。制御部９３７は、処理構成部９２３を統合管理する。
【０１５８】
外部装置９１１は、例えば、エネルギー管理装置９５１、ＷＥＢブラウザ９５３、無線送信機器９５５、及びタブレット端末９５７が想定される。エネルギー管理装置９５１は、例えば、空調設備２３及び汎用機器２１等の消費電力等を管理する。ＷＥＢブラウザ９５３は、例えば、空調設備２３の運転状態、汎用機器２１の運転状態、汎用機器コントローラー１１の動作状況、及び集中コントローラー９０１の管理内容等を閲覧可能とする。無線送信機器９５５は、各種無線端末からの各種信号を送受信可能にする機器である。タブレット端末９５７は、移動可能な携帯型端末であって、遠隔地から集中コントローラー９０１等を監視可能とする。
【０１５９】
なお、集中コントローラー９０１の各機能をハードウェアで実現するか、ソフトウェアで実現するかは問わない。つまり、本実施の形態で説明される各ブロック図は、ハードウェアのブロック図と考えても、ソフトウェアによる機能ブロック図と考えてもよい。例えば、各ブロック図は、回路デバイス等のハードウェアで実現されてもよく、プロセッサ等の演算装置上で実行されるソフトウェアで実現されてもよい。
【０１６０】
また、上記の説明では、汎用機器コントローラー１１及び集中コントローラー９０１は、それぞれ別々に演算が行われ、別々の筐体、すなわち、物理的に離れた位置に処理が実装される一例について説明したが、特にこれに限定しない。例えば、一つのサーバー装置に、汎用機器コントローラー１１の機能と、集中コントローラー９０１の機能とが論理的に異なる形態で実装されてもよい。つまり、汎用機器コントローラー１１の機能と、集中コントローラー９０１の機能とがそれぞれ実行されればよいため、その物理的な格納場所又は実行場所は特に限定しない。例えば、遠隔地にある複数のサーバー装置等に前述した図８〜図１３の各動作を分散処理させ、互いに演算結果の同期を取りながら処理が実行されてもよい。また、上記で説明したように、汎用機器コントローラー１１の機能と、集中コントローラー９０１の機能とが論理的に異なる形態でそれぞれが仮想化されることで、１つのサーバー装置に２つの機能が実装されてもよい。
【０１６１】
以上の説明から、本実施の形態２においては、専用伝送線３３に接続され、空調設備２３と、汎用機器コントローラー１１とを管理し、汎用機器コントローラー１１を介して汎用機器２１を管理する集中コントローラー９０１をさらに備えた空気調和システム２が構成される。
【０１６２】
上記の構成で、集中コントローラー９０１は、複数の空調設備２３−１及び２３−２を管理することができる。
【０１６３】
また、本実施の形態２においては、集中コントローラー９０１は、第１信号及び第２信号に基づいて、空調設備２３、汎用機器２１、及び汎用機器コントローラー１１を管理する。
【０１６４】
以上の構成で、システム全体における省エネ性及び快適性を特に顕著に向上させることができる。
【０１６５】
なお、本実施の形態１及び２は、単独で実施されてもよく、組み合わせて実施されてもよい。いずれの場合においても、上記で説明した有利な効果を奏することとなる。
【符号の説明】
【０１６６】
１、２  空気調和システム、１１、１１−１、１１−２  汎用機器コントローラー、１２  メモリカード、１３、９６３  ＲＡＭ、２１、２１−１、２１−２  汎用機器、２３、２３−１、２３−２  空調設備、３０  汎用伝送線、３１、３１−１、３１−２  入出力信号線、３３  専用伝送線、３５  ＬＡＮ、４１  冷媒配管、５１、５１−１、５１−２  室外機、５３、５３−１、５３−２  室内機、６１  室外機温度センサー、６３  室内機湿度センサー、６５  室内機温度センサー、７１、７１−１、７１−２  空調制御リモートコントローラー、７３  表示部、７５  操作部、８１  照度センサー、８３  人感センサー、１０１、１０１−１、１０１−２  加湿器、１０３、１０３−１、１０３−２  ヒーター、１０５、１０５−１、１０５−２  換気扇、８５、１０７、１０７−１、１０７−２  温度／湿度センサー、１０９、１０９−１、１０９−２  クライアント端末、１１１  圧縮機、１１３  四方切換弁、１１５  室外機側熱交換器、１１７  室外機側膨張弁、１１９  アキュムレーター、１２１  室外機側ファン、１３１  室外機制御手段、１３３  室外機通信手段、２１５  室内機側熱交換器、２１７  室内機側膨張弁、２２１  室内機側ファン、２３１  室内機制御手段、２３３  室内機通信手段、３０１、９２１  インターフェース構成部、３０３、９２３  処理構成部、３０５  入出力ポート、３５５、４５５、９３５、９６８  記憶部、４０１  第１通信部、４０３  第２通信部、４０５  記憶部モジュール、４０７  制御部モジュール、４１７、９３７  制御部、４１１  収集データ記憶領域、４１３  ＰＬＣプログラム記憶領域、４２０  第３通信部、４２１  第４通信部、４３１  アナログポート、４３３  デジタルポート、４３５  ＵＳＢポート、４３７  無線ポート、４３９  ＬＡＮポート、５０１  入力デバイス、５０３  出力デバイス、６０１  編集画面、６０３  編集ウィンドウ、６０５  入力ウィンドウ、６１１  デバイス選択領域、６１３  デバイス名入力領域、６１５  ＯＫボタン、６１７  取消ボタン、６３１  編集領域、７０１  第１ＰＬＣプログラム、７０２  第２ＰＬＣプログラム、７０３  第３ＰＬＣプログラム、７０４  第４ＰＬＣプログラム、７０５  第５ＰＬＣプログラム、８０１  第１連動制御、８０２  第２連動制御、８０３  第３連動制御、８０４  第４連動制御、８０５  第５連動制御、８０６  第６連動制御、８０７  第７連動制御、８０８  第８連動制御、９０１  集中コントローラー、９１１  外部装置、９３１  第５通信部、９３３  第６通信部、９５１  エネルギー管理装置、９５３  ＷＥＢブラウザ、９５５  無線送信機器、９５７  タブレット端末、９６１  ＣＰＵ、９６２  ＲＯＭ、９６４  バス、９６５  入出力インターフェース、９６６  入力部、９６７  出力部、９６９  通信部、９７０  ドライブ。
【図１】
0006008994.tif 000002
【図２】
0006008994.tif 000003
【図３】
0006008994.tif 000004
【図４】
0006008994.tif 000005
【図５】
0006008994.tif 000006
【図６】
0006008994.tif 000007
【図７】
0006008994.tif 000008
【図８】
0006008994.tif 000009
【図９】
0006008994.tif 000010
【図１０】
0006008994.tif 000011
【図１１】
0006008994.tif 000012
【図１２】
0006008994.tif 000013
【図１３】
0006008994.tif 000014
【図１４】
0006008994.tif 000015
【図１５】
0006008994.tif 000016
【図１６】
0006008994.tif 000017
【図１７】
0006008994.tif 000018